(57)【要約】  本発明はキャリアおよび複数の容器を一纏めにしたパッケージとするための包装方法に関し、略連続するプラスチックシートに、隣合う２つを一組として長手方向に延びる複数の開口部が形成されている。各容器穴内に１つの容器が配置され、そして、プラスチックシートは、中心脆弱線および周辺脆弱線に沿って分離され、概ね三角形状に配置された３つの容器を含み結合された複数のパッケージが形成される。
2008503411.tif 000002
【特許請求の範囲】
【請求項１】
複数の容器を結合するためのキャリアストックにおいて、
第１と第２の長手の縁部と、隣合う２つを一組として長手方向に延びる複数の容器穴とを有した略連続プラスチックシートと、
前記隣合う容器穴の各組１つおきに配置され、該隣合う容器穴の間に延設された中心脆弱線と、
前記第１の長手の縁部の近傍に配置され、前記一組の容器穴の一方の容器穴と、一方側直近の容器穴との間に配置された第１の周辺脆弱線と、
前記第２の長手の縁部の近傍に配置され、前記一組の容器穴の他方の容器穴と、前記一方側とは反対の他方側直近の容器穴との間に配置された第２の周辺脆弱線とを具備するキャリアストック。
【請求項２】
前記容器穴の各組の間に配置されたハンドルであって、隣のハンドルとは異なる向きに配置されたハンドルを更に具備する請求項１に記載のキャリアストック。
【請求項３】
前記ハンドルが、隣合う容器穴の各組の間に配置された指穴と、
前記指穴に掛渡したストラップ部とを具備し、該ストラップ部は、前記指穴の一方の端部に向けて配向されている請求項２に記載のキャリアストック。
【請求項４】
前記第１の周辺脆弱線は、前記指穴と前記プラスチックシートの第１の長手の縁部との間に延設されている請求項３に記載のキャリアストック。
【請求項５】
前記第１の周辺脆弱線は、前記指穴と前記プラスチックシートの第１の長手の縁部の近傍の前記プラスチックシートの内側部分との間に延設されている請求項３に記載のキャリアストック。
【請求項６】
前記ハンドルが、
前記隣合う容器穴の各組の間に配置された指穴と、
前記指穴に掛渡したストラップ部とを具備し、前記ストラップ部は、前記指穴の長手の中心軸線および横断方向の中心軸線に関して非対称に延設されている請求項２に記載のキャリアストック。
【請求項７】
前記中心脆弱線は、隣の指穴の間で該指穴に到達しないように延設された穿孔を具備している請求項６に記載のキャリアストック。
【請求項８】
前記中心脆弱線は、隣のハンドルの間に延設された穿孔を具備している請求項２に記載のキャリアストック。
【請求項９】
３つの容器を１つのパッケージに結合するためのキャリアにおいて、
連結された３組の隣合う２つの容器穴となるように配置された形成する６つの容器穴を有したベースキャリアと、
隣合う容器穴の中央の組において前記容器穴の間に形成された中心脆弱線と、
２つの周辺脆弱線であって、前記ベースキャリアの両側縁部の近傍から前記隣合う容器穴の組の側部に１つの周辺脆弱線が配設され、前記ベースキャリアを前記中心脆弱線および前記２つの周辺脆弱線に沿って分割することによって、３つの容器を結合するための２つのキャリアが形成されるようにしたキャリア。
【請求項１０】
隣合う容器穴の各組の間に形成されたハンドルを更に具備し、前記ハンドルは指穴に掛渡したストラップ部を含んで成る請求項９に記載のキャリア。
【請求項１１】
隣合う指穴の間の中心脆弱線が延設されている請求項１０に記載のキャリア。
【請求項１２】
３つの容器を１つのパッケージに結合するためのキャリアにおいて、
第１の組をなす２つの容器穴、中央の第２の組をなす２つの容器穴および第３の組をなす２つの容器を隣合わせに連結して配置された６つの容器穴を有したベースキャリアと、
中央の２つの容器穴の組の容器穴の間に形成された中心脆弱線と、
第１の容器穴の組と、中央の容器穴の組との間に形成された第１の周辺脆弱線と、中央の容器穴の組と、第３の容器穴の組との間に形成された第２の周辺脆弱線とから成る２つの周辺脆弱線であって、前記第１の周辺脆弱線が、前記中心脆弱線から前記第２の周辺脆弱線とは反対側に配置されており、前記ベースキャリアを前記中心脆弱線および前記２つの周辺脆弱線に沿って分割することによって、３つの容器を結合するための２つのキャリアが形成されるようにしたキャリア。
【請求項１３】
隣合う容器の各組の間に配置されたハンドルを更に具備し、
前記ハンドルが、前記隣合う容器の各組の間に配置された指穴と、
前記指穴に掛渡したストラップ部とを具備し、
前記ストラップ部が、前記指穴の長手方向および横断方向の中心軸線に関して非対称に延設されている請求項１２に記載のキャリアストック。
【請求項１４】
前記中心脆弱線が、隣接する各指穴の間において該指穴に到達しないように延設された穿孔を具備する請求項１３に記載のキャリアストック。
【請求項１５】
容器の包装方法において、
隣合う２つを一組とした長手方向に延びる複数の容器穴を有した略連続プラスチックシートを準備し、
前記複数の容器穴の各容器穴に１つの容器を配置し、
前記プラスチックシートにおいて前記隣合う２つの容器穴の各組１つおきに容器穴の間に延設された中心脆弱線に沿って切離し、
ある容器穴の組の一方の容器穴と、該容器穴の一方側部直近の容器穴との間において、第１の長手の縁部の近傍に設けられた第１の周辺脆弱線に沿って切離し、
前記容器穴の組の他方の容器穴と、該容器穴の他方側部直近の容器穴との間において、第２の長手の縁部の近傍に設けられた第２の周辺脆弱線に沿って切離し、以て、概ね三角形状に配置された正確に３つの容器を含む結合されたパッケージを形成することを含む包装方法。
【発明の詳細な説明】
【技術分野】
【０００１】
本発明は、３つの容器を結合するためのキャリアに関する。
【背景技術】
【０００２】
従来の容器キャリアは、しばしば缶や瓶、またはこれらと同様な容器であって一纏めにすることを要求される同サイズの複数の容器を結合するために用いられている。こうした従来の容器キャリアには、複数の容器穴を有したプラスチック製のリングキャリアがある。
【０００３】
【特許文献１】米国特許第６１２２８９３号明細書
【特許文献２】米国特許第６１７０２２５号明細書
【発明の開示】
【課題を解決するための手段】
【０００４】
本発明によるキャリアは、缶のような複数の容器を保持する。個々のキャリアを形成するための仕上前のキャリアストックは、隣合う２つを一組として長手方向に並べた複数の容器穴が形成された平坦なプラスチックシートを具備している。キャリアストックは、プラスチックシートの外側縁部を形成する第１の長手の縁部と、反対側の第２の縁部とを有している。
【０００５】
隣合う２つの容器穴を一組とした各組１つおきに、中心脆弱線が、該隣合う２つを一組とした容器穴の間に配置されている。更に、第１の長手の縁部の近傍において、ある一組の容器穴の一方の容器穴と、該容器穴の一方側部直近の容器穴との間に第１の周辺脆弱線が配置されている。同様に、第２の長手の縁部の近傍において、前記一組の容器穴の他方の容器穴と、反対の側部直近の容器穴との間に第２の周辺脆弱線が配置されている。その結果、周辺脆弱線は、隣合う容器穴の各組の間に、キャリアストック沿いに第１の長手の縁部の近傍と、第２の長手の縁部の近傍とで交互に配置される。
【０００６】
実際上、各キャリアは、略連続キャリアストックから好ましく分離される。然しながら、詳細には、３つの容器を結合するための各キャリアは、好ましくは、連結された３組の隣合う２つの容器穴となるように配置された６つの容器穴を有した「ベースキャリア」を形成するように、２つが連結されて一組とされる。更に、２つの周辺脆弱線がベースキャリアに形成され、隣合う２つの容器穴の中央の一組の各側部に１つの周辺脆弱線が、ベースキャリアの各々の外側縁部の近傍から形成される。この構成によって、ベースキャリアは、中心脆弱線および２つの周辺脆弱線に沿って分割され、各々３つの容器を結合するための２つのキャリアとなる。
【０００７】
上述したキャリアまたはキャリアストックを用いて容器をパッケージ化するための方法は、先ず、各容器穴に１つの容器を配置することを含む。次いで、プラスチックシートの各中心脆弱線が切断され、更に、各周辺脆弱線が切断されて、概ね三角形状に配置された正確に３つの容器を備えた複数の各キャリアが形成される。
【発明を実施するための最良の形態】
【０００８】
本発明の上述した特徴、目的および他の特徴、目的は、図面に関連して説明する詳細な記載から一層明確に理解されよう。
【０００９】
図１は、複数の容器穴から３個パックキャリアを作るための概念を示した図である。
図２〜図８は、本発明の種々の実施形態による複数の容器８０を保持するためのキャリア１０を示している。図７、８において、パッケージ９０に纏められたような容器８０は、好ましくは、缶である。図７、８には缶が示されているが、瓶その他の一般的に使用される容器を本発明のキャリア１０と共に用いてもよい。容器８０は、好ましくは、単一のキャリア１０内において同じサイズである。
【００１０】
図７、８に示したようなパッケージ９０のようなパッケージ９０を作るために、キャリア１０は複数の容器８０を結合する。キャリア１０は、好ましくは柔軟な弾性材料、１つの好ましい実施形態では低密度ポリエチレンのような材料から形成されるプラスチックシート１５を具備している。
【００１１】
原料となるプラスチックシート１５は、好ましくは、スタンプ型のような当業者に周知の手段を用いて裁断され、プラスチックシート１５に複数の容器穴３０が形成される。容器穴３０は、好ましくは、個々の容器８０と十分に係合しこれを保持する所の望形状に形成される。こうした形状は、隅部を概ね円形或いは丸くした概ね三角形状、丸形および／または矩形が含まれよう。プラスチックシート１５は、パッケージ９０および／または容器８０の所望のサイズに応じて、他の容器穴３０を含むことができよう。図６に示すように、個々のキャリア１０は、概ね三角形状に配置された３つの容器穴３０を具備している。
【００１２】
図２に部分的に示すように、キャリア１０は、好ましくは、仕上前のキャリアストックが、パンチ加工された隣合う複数のキャリア１０を有し略連続するプラスチックシート１５のロールを含むように製造される。前記隣合う複数のキャリアは、パンチ加工の後に、巻き取られて何千というキャリア１０を有したスプール（図示せず）となる。各キャリア１０は、以下に詳述するように、隣のキャリア１０にそれぞれ取着されている。その後、パッケージ９０を形成するためにキャリア１０に容器８０が取付けられる。そうした工程の間、キャリアはスプールから解かれ、次いで、互いに切離されてパッケージ９０が形成される。
【００１３】
上述したように、キャリアストックは、平坦な略連続プラスチックシート１５を含む。該プラスチックシートは、その外側縁部を形成する第１の長手の縁部２０と第２の長手の縁部２５とを有している。複数の容器穴３０が、プラスチックシート１５の外側縁部の間において、隣合う２つを一組３５として長手方向にプラスチックシート１５を通して配置されている。
【００１４】
プラスチックシート１５において隣合う容器穴の各組３５の１つおきに、中心脆弱線４０が、組３５の容器穴３０の間に配置されている。中心脆弱線４０は、好ましくは、隣合う容器穴の各組３５の１つおきに長手方向に延設されており、以て、好ましくは、隣合う容器穴３０の組３５を１つおきに二分割するようになっている。
【００１５】
図２〜図４に示すように、第１の周辺脆弱線５０が、第１の長手の縁部２０の近傍において、一組の容器穴の一方の容器穴３０と、該容器穴の一方側部直近の容器穴との間に配設されている。更に、第２の周辺脆弱線６０が、第２の長手の縁部２５の近傍において、上記容器穴の組３５の他方の容器穴３０と、該容器穴の反対側部直近の容器穴との間に配設されている。こうして、周辺脆弱線５０、６０は、キャリアストックに沿って、隣合う容器穴３０の組３５の間で互い違いに配置され、詳細には、第１の長手の縁部２０の近傍の位置と、第２の長手の縁部２５の近傍の位置との間で交互に配置されている。
【００１６】
脆弱線４０、５０、６０は、プラスチックシート１５に形成された穿孔、セレーション、スリット、薄肉部またはその組合せとすることができ、かつ、好ましくは、所定の線に沿って、プラスチックシート１５を分離可能とするために引裂いたり破断したりすることができるようになっている。更に、脆弱線４０、５０、６０は、好ましくは、プラスチックシート１５の縁部や開口部まで直接延びることなく、プラスチックシート１５の内側部分に好ましく配置される。
【００１７】
本発明の１つの好ましい実施形態によれば、ハンドル７０が、隣合う容器穴３０の各組３５の間に配置される。小売人が、手または指を通して掴み、また、キャリア１０の完全性を保つのに十分な領域を提供するために、ハンドル７０が更にキャリア１０に配置されている。
【００１８】
ハンドル７０は、隣合う容器穴３０の各組３５の間に配置された指穴７５と、該指穴７５に掛渡したストラップ部７７とを具備している。図２、４、５に示すように、ストラップ部７７は、指穴７５の一方の端部側に寄せて配置されている。
【００１９】
図２、４、５に示すように、各ハンドル７０は、好ましくは、隣のハンドル７０とは異なる向きに配置されている。より詳細には、指穴７５は、隣合う容器穴３０の各組３５の間に配置されており、かつ、ストラップ部７７は、指穴７５の長手方向の中心軸線および横断方向の中心軸線に関して非対称に延設されている。
【００２０】
図２に示したようなハンドル７０を有したキャリア１０の構成では、中心脆弱線４０はプラスチックシート１５に形成された穿孔または同様の構成のスリットまたは同様の脆弱部を具備しており、前記穿孔または同様の構成のスリットまたは同様の脆弱部は、各隣のハンドル７０の間に延設されているが、該ハンドル、より詳細には各隣の指穴７５には到達していない。
【００２１】
図２、４、５に示したようなハンドル７０を有したキャリア１０の構成では、第１の周辺脆弱線５０は、好ましくは、ハンドル７０の指穴７５と、プラスチックシート１５の第１の長手の縁部２０の近傍の部分との間で、該縁部には到達しないように延設されている。或いは、第１の周辺脆弱線５０は、プラスチックシート１５の第１の長手の縁部２０に到達するようにしてもよい。然しながら、第１の周辺脆弱線５０が第１の長手の縁部２０に到達するような構成では、容器８０に装着する間にキャリア１０が裂けることもあり得る。同様の、第２の周辺脆弱線６０は、好ましくは、ハンドル７０の反対側の指穴７５と、プラスチックシート１５の第２の長手の縁部２５の近傍の部分との間で、該縁部には到達しないように延設されている。
【００２２】
図３は、本発明の１つの好ましい実施形態を示しており、該実施形態は、第１の長手の縁部２０に沿った三番目ごとの容器穴３０の中、および、第２の長手の縁部２５に沿った三番目ごとの容器穴３０の中に配置された指ループ部６７を有しており、プラスチックシート１５の両縁部に沿って、隣合う容器穴３０の一番目と三番目の組３５ごとに、内側に配置された指ループ部６７が設けられている。従って、隣合う容器穴３０の二番目の組３５の各々には、指ループ部６７が設けられていない。
【００２３】
上述した図３の構成では、容器８０が該実施形態の容器穴３０に装着されると、指ループ部６７は、その容器穴３０から部分的に押出され、更に後述するするように、キャリア１０を分割して、その結果得られるパッケージは指ループ部６７を用いて持運び可能となる。
【００２４】
実際上、各キャリア１０は、略連続したキャリアストックから好ましく分離される。より詳細には、３つの容器８０を結合するための各キャリア１０は、好ましくは、隣合う容器穴３０の組３５を３つ連結した６つの容器穴３０を有した「ベースキャリア」を形成するように、２つを連結して一組とされる。上述したように、中心脆弱線４０は、隣合う容器穴３０の中央の組４５の容器穴３０の間に形成される。更に、２つの周辺脆弱線５０、６０が各ベースキャリアに形成される。ベースキャリアの両縁部の近傍から、中央の組４５の各側部に周辺脆弱線５０、６０の一方が好ましく形成される。この構成によれば、ベースキャリアは、中心脆弱線４０および２つの周辺脆弱線５０、６０に沿って分割され、図６に示すように、各々３つの容器８０を結合する２つのキャリア１０が形成される。
【００２５】
図４、５は、容器８０の包装方法を部分的に示しており、該方法は、上述したように、隣合う２つを一組３５とされた長手方向に延びる複数の容器穴３０を有した略連続プラスチックシート１５を準備することを含んでいる。図５には示されていないが、好ましくは、当業者には周知の従来の包装機械を用いて、容器８０が各容器穴３０に装着される。
【００２６】
ウィーバー等の(Weaver et al)米国特許第6,122,893号およびサーバンタス等の(Cervantes et al)米国特許第6,170,225号には、本発明と共に使用するのに適した包装機械の種々の特徴が記載されており、その開示内容は、本願と一体をなすものとして参照する。いわゆる装着機械としても称される包装機械は、好ましくは、複数対の顎部を有したドラムを具備しており、前記顎部は、容器穴３０の各々が各容器８０、特に、こうした容器８０のシーム部に係合するように、隣合う容器穴３０の組３５の各々に係合してプラスチックシート１５を横断方向に延伸させる。こうした装着機械は、各容器穴３０が長手方向および横断方向に隣合う容器穴３０に連結されるように、容器穴３０を形成するアレー状に相互連結されたリング部を有した概ね連続プラスチックシートを必要とする。連続プラスチックシート１５が容器８０に装着されると、各容器８０は、長手方向に連続的に配列された隣合う容器穴３０および容器８０の連結された組３５の個々の容器穴３０内に個別に配置されている。
【００２７】
キャリア１０を引き伸ばして容器８０に係合させることによって、中心脆弱線４０および周辺脆弱線５０、６０は応力が作用した状態となる。各中心脆弱線４０は、次いで、キャリア１０が包装ラインを通過する際に、好ましくは、ブレード、ナイフ、楔または類似の装置のような機械的な装置を用いてプラスチックシート１５内で分割することができよう。中心脆弱線４０の分割と概ね同時に、プラスチックシート１５の各長手の縁部２０、２５に切れ目または切欠５５が、周辺脆弱線５０、６０の各々の直ぐ隣に、そして好ましくは、該周辺脆弱線内に形成される。
【００２８】
パレタイゼーションのような、個々のパッケージ９０の望ましい最終的な処理に応じて、周辺脆弱線５０、６０の切離しとは別の工程で中心脆弱線４０を切離すようにしてもよい。例えば、最初に中心脆弱線４０を切離し、次いで、回転方向転換工程(turning and diverting operation)を行い、その後に周辺脆弱線５０、６０で切離すようにできる。
【００２９】
脆弱線４０、５０、６０に応力が作用する結果、ナイフその他の装置によって、プラスチックシート１５をきれいに分割、破断でき、個々のキャリア１０が形成される。より詳細には、図７、８に示すような概ね三角形状のパッケージ９０に配置された正確に３つの容器８０を備えた２つの個別のキャリア１０が形成されるように、ベースキャリアは、中心脆弱線４０および周辺脆弱線５０、６０に沿って切離される。
【００３０】
こうして形成された３つの容器８０を備えたパッケージ９０は、次いで、「エルボー」つまりパッケージ９０の隅部に配置されているハンドル７０を用いて持上げて運ばれるであろう。そして、消費者は、要望に応じて容器８０を取外、空になったキャリア１０を適切に廃棄するであろう。
【００３１】
上述の記載では、特定の好ましい実施形態に関連して本発明を説明したが、多数の細部は例示目的で記載されており、キャリア１０および関連する製造方法は、更なる実施形態を受け入れる余地があり、従って、ここに記載した特定の細部は、本発明の基本原理から逸脱することなく偏向することができることは当業者の当然とするところである。
【図面の簡単な説明】
【００３２】
【図１】３個パックに分割可能な従来のキャリアの平面図である。
【図２】本発明の１つの好ましい実施形態によるキャリアストックの平面図である。
【図３】本発明の１つの好ましい実施形態によるベースキャリアの平面図である。
【図４】本発明の１つの好ましい実施形態によるベースキャリアの切断、分割前の平面図である。
【図５】切断後、分割前の図４のベースキャリアの平面図である。
【図６】２つの個別のキャリアに分割した後のベースキャリアの平面図である。
【図７】本発明の１つの好ましい実施形態による３つの容器のパッケージの側面図である。
【図８】本発明の１つの好ましい実施形態による３つの容器のパッケージの頂面図である。
【符号の説明】
【００３３】
１０    キャリア
１５    プラスチックシート
２０    第１の長手の縁部
２５    第２の長手の縁部
３０    容器穴
３５    隣合う容器穴の組
４０    中心脆弱線
５０    第１の周辺脆弱線
６０    第２の周辺脆弱線
７０    ハンドル
７５    指穴
７７    ストラップ部
８０    容器
９０    パッケージ
【図１】
2008503411.tif 000003
【図２】
2008503411.tif 000004
【図３】
2008503411.tif 000005
【図４】
2008503411.tif 000006
【図５】
2008503411.tif 000007
【図６】
2008503411.tif 000008
【図７】
2008503411.tif 000009
【図８】
2008503411.tif 000010
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
複数の容器を結合するためのキャリアストックにおいて、
第１と第２の長手の縁部と、隣合う２つを一組として長手方向に延びる複数の容器穴とを有した略連続プラスチックシートと、
前記隣合う容器穴の各組１つおきに配置され、該隣合う容器穴の間に延設された中心脆弱線と、
前記第１の長手の縁部の近傍に配置され、前記一組の容器穴の一方の容器穴と、一方側直近の容器穴との間に配置された第１の周辺脆弱線と、
前記第２の長手の縁部の近傍に配置され、前記一組の容器穴の他方の容器穴と、前記一方側とは反対の他方側直近の容器穴との間に配置された第２の周辺脆弱線とを具備するキャリアストック。
【請求項２】
前記容器穴の各組の間に配置されたハンドルであって、隣のハンドルとは異なる向きに配置されたハンドルを更に具備する請求項１に記載のキャリアストック。
【請求項３】
前記ハンドルが、隣合う容器穴の各組の間に配置された指穴と、
前記指穴に掛渡したストラップ部とを具備し、該ストラップ部は、前記指穴の一方の端部に向けて配向されている請求項２に記載のキャリアストック。
【請求項４】
前記第１の周辺脆弱線は、前記指穴と前記プラスチックシートの第１の長手の縁部との間に延設されている請求項３に記載のキャリアストック。
【請求項５】
前記第１の周辺脆弱線は、前記指穴と前記プラスチックシートの第１の長手の縁部の近傍の前記プラスチックシートの内側部分との間に延設されている請求項３に記載のキャリアストック。
【請求項６】
前記ハンドルが、
前記隣合う容器穴の各組の間に配置された指穴と、
前記指穴に掛渡したストラップ部とを具備し、前記ストラップ部は、前記指穴の長手の中心軸線および横断方向の中心軸線に関して非対称に延設されている請求項２に記載のキャリアストック。
【請求項７】
前記中心脆弱線は、隣の指穴の間で該指穴に到達しないように延設された穿孔を具備している請求項６に記載のキャリアストック。
【請求項８】
前記中心脆弱線は、隣のハンドルの間に延設された穿孔を具備している請求項２に記載のキャリアストック。
【請求項９】
３つの容器を１つのパッケージに結合するためのキャリアにおいて、
連結された３組の隣合う２つの容器穴となるように配置された形成する６つの容器穴を有したベースキャリアと、
隣合う容器穴の中央の組において前記容器穴の間に形成された中心脆弱線と、
２つの周辺脆弱線であって、前記ベースキャリアの両側縁部の近傍から前記隣合う容器穴の組の側部に１つの周辺脆弱線が配設され、前記ベースキャリアを前記中心脆弱線および前記２つの周辺脆弱線に沿って分割することによって、３つの容器を結合するための２つのキャリアが形成されるようにしたキャリア。
【請求項１０】
隣合う容器穴の各組の間に形成されたハンドルを更に具備し、前記ハンドルは指穴に掛渡したストラップ部を含んで成る請求項９に記載のキャリア。
【請求項１１】
隣合う指穴の間の中心脆弱線が延設されている請求項１０に記載のキャリア。
【請求項１２】
３つの容器を１つのパッケージに結合するためのキャリアにおいて、
第１の組をなす２つの容器穴、中央の第２の組をなす２つの容器穴および第３の組をなす２つの容器を隣合わせに連結して配置された６つの容器穴を有したベースキャリアと、
中央の２つの容器穴の組の容器穴の間に形成された中心脆弱線と、
第１の容器穴の組と、中央の容器穴の組との間に形成された第１の周辺脆弱線と、中央の容器穴の組と、第３の容器穴の組との間に形成された第２の周辺脆弱線とから成る２つの周辺脆弱線であって、前記第１の周辺脆弱線が、前記中心脆弱線から前記第２の周辺脆弱線とは反対側に配置されており、前記ベースキャリアを前記中心脆弱線および前記２つの周辺脆弱線に沿って分割することによって、３つの容器を結合するための２つのキャリアが形成されるようにしたキャリア。
【国際調査報告】
2008503411.tif 000011
2008503411.tif 000012
2008503411.tif 000013